(57)【要約】【課題】簡単な製造で、ナットの抜けを防止する電子機器を提供する。【解決手段】電子機器１は、ナット４０が挿入されるナット挿入部３１が設けられたスピーカ本体３０と、ナット挿入部３１を覆ってスピーカ本体３０に固定される背面板２４とを備える。背面板２４には、ナット４０と嵌合するボルトが挿入される開口２４Ｈが設けられている。その開口２４Ｈの径は、ナット４０の外径よりも小さくしてある。【選択図】図２
2017040285.tif 000002
【特許請求の範囲】
【請求項１】
ナットが挿入される挿入口が設けられた本体と、
前記挿入口を覆って前記本体に固定される固定板と、
を備え、
前記固定板には、前記ナットと嵌合するボルトが挿入される開口が設けられ、
前記開口の径は、前記ナットの外径よりも小さい、
ことを特徴とする電子機器。
【請求項２】
前記固定板は、複数個所で前記本体に固定されている、
ことを特徴とする請求項１に記載の電子機器。
【請求項３】
前記本体を収容する筐体、
を備え、
前記本体と前記筐体との間に空間を有し、
前記固定板は、前記筐体の一部を構成する平面部と、前記平面部の法線方向から視たときに前記平面部から突出した突出部とを有し、前記突出部を前記空間に差し込んだ状態で、前記本体に固定されている、
ことを特徴とする請求項１又は２に記載の電子機器。
【発明の詳細な説明】
【技術分野】
【０００１】
本発明は、壁掛け設置する電子機器に関する。
【背景技術】
【０００２】
テレビ、オーディオスピーカ、プロジェクタ等、壁に掛けて設置することができる電子機器が提案されている。電子機器を壁に掛けることにより、室内のスペースを有効活用することができる。電子機器を壁にかける場合、例えば、電子機器と、壁面に取り付けるための取り付け止め具とを、ボルトとナットとで固定する。
【０００３】
特許文献１には、壁掛け型の映像表示装置が開示されている。特許文献１では、映像表示装置側にナットを設け、このナットにボルトを嵌合させて、装置と止め具とを固定している。ナットは装置側の貫通孔に挿入されているが、ナットが貫通孔から抜け落ちて装置が壁から落下することを防止するため、ナットを装置に熱融着して、ナットと装置とを強固に結合させている。
【先行技術文献】
【特許文献】
【０００４】
【特許文献１】特開2007-233018号公報
【発明の概要】
【発明が解決しようとする課題】
【０００５】
特許文献１の構成では、貫通孔にナットを挿入した場合、ナットと貫通孔とを強固に接着させなければ、ナットが本体から抜け落ち、機器本体が取り付け止め具から外れて落下するおそれがある。
【０００６】
そこで、本発明の目的は、簡単な製造で、ナットの抜けを防止する電子機器を提供することにある。
【課題を解決するための手段】
【０００７】
本発明に係る電子機器は、ナットが挿入される挿入口が設けられた本体と、前記挿入口を覆って前記本体に固定される固定板とを備え、前記固定板には、前記ナットと嵌合するボルトが挿入される開口が設けられ、前記開口の径は、前記ナットの外径よりも小さいことを特徴とする。
【０００８】
この構成では、固定板の開口はナットの外径よりも小さいため、ナットが固定板の開口を通って挿入口から抜け落ちることがない。このため、壁掛け用の止め具のボルトをナットに嵌合させて電子機器を壁掛け設置した場合、ナットが本体から抜け落ちることがないため、電子機器が止め具から外れることがない。この結果、壁掛けしている電子機器が落下することを防止できる。そして、この構成では、ナットと本体とを融着等により固定する必要がないため、簡単な製造で、ナットの抜けを防止することができる。
【発明の効果】
【０００９】
本発明によれば、ナットと本体とを強固に接着させる必要がなく、簡単な製造で、ナットの抜けを防止することができる。
【図面の簡単な説明】
【００１０】
【図１】実施形態に係る電子機器の背面図
【図２】背面板を外した状態の電子機器の背面図
【図３】開口に装着した背面板を裏面側から視た図
【図４】貫通孔の大きさについて説明するための図
【図５】ナットにボルトを嵌合した状態を示す図
【発明を実施するための形態】
【００１１】
以下、本発明に係る電子機器についての実施形態について説明する。本実施形態に係る電子機器は、壁掛け設置することができるスピーカ装置として説明するが、薄型テレビ、液晶プロジェクタなどであってもよい。
【００１２】
図１は、本実施形態に係る電子機器１の背面図である。図２は、背面板を外した状態の電子機器１の背面図である。
【００１３】
電子機器１は、筐体２０と、筐体２０内に収容されたスピーカ本体３０とを備えている。以下では、スピーカ本体が音を出力する方向を正面とし、その反対を背面とする。
【００１４】
筐体２０は、筐体本体２１、上蓋２２、下蓋２３及び背面板２４が組み合わされて形成されている。筐体本体２１は筒状であって、上蓋２２及び下蓋２３は、筐体本体２１の上下開口にそれぞれ装着されている。また、筐体本体２１は、背面部分に切欠きが設けられている。そして、筐体本体２１に上蓋２２及び下蓋２３が装着されることで、筐体２０の背面側には、背面板２４を取り付けるための開口２１Ａが形成される。背面板２４は、本発明に係る「固定板」に相当する。
【００１５】
背面板２４は、平面視で長方形状であって、長手方向の両端部には、長手方向に直交する短手方向に突出する突出部２４Ａを有している。以下、背面板２４の長方形状の平面部分を平面部２４１と言う。突出部２４Ａは、平面部２４１の法線方向から視たときに平面部２４１から突出している。背面板２４は、平面部２４１を開口２１Ａに位置させて、突出部２４Ａが上蓋２２及び下蓋２３の内側に入り込んだ状態で、筐体本体２１に装着される。
【００１６】
図３は、開口２０Ａに装着した背面板２４を裏面側（筐体２０内側）から視た図である。
【００１７】
背面板２４は、略長方形状であって、長手方向の両端部が裏側に略直角に折れ曲がっている。以下、折れ曲がった部分を屈折部２４２と言う。屈折部２４２は、図２に示すように、平面視したとき、平面部２４１の長辺よりも上下方向に突出した突出部２４Ａを有する形状である。
【００１８】
背面板２４は、上蓋２２及び下蓋２３とスピーカ本体３０との間の空間に、突出部２４Ａが入り込むようにして図２に示す開口２０Ａに取り付けられる。これにより、背面板２４に背面方向への引っ張り力がかかっても、突出部２４Ａが上蓋２２及び下蓋２３に引っ掛かるため、背面板２４が開口２０Ａから背面側へ外れることを防止できる。
【００１９】
なお、突出部２４Ａは、幅方向（上下方向の直交方向）に突出していてもよい。この場合、背面板２４は、筐体本体２１とスピーカ本体３０との間の空間に突出部２４Ａが入り込むようにして取り付けられる。
【００２０】
また、屈折部２４２には、背面板２４をスピーカ本体３０に固定するためのネジ穴２４Ｂが設けられている。スピーカ本体３０の背面側には、図２に示すように、ネジ穴３２が形成されている。背面板２４のネジ穴２４Ｂは、背面板２４を開口２０Ａに取り付けた場合、スピーカ本体３０のネジ穴３２と重なるようになっている。そして、ネジ穴２４Ｂとネジ穴３２とにネジをはめ込み、ネジ止めすることで、背面板２４とスピーカ本体３０とを固定することができる。
【００２１】
なお、背面板２４とスピーカ本体３０とを固定する方法は、ネジ止め以外に、接着等、強固に固定できる方法であればよい。また、固定箇所、及びその数は適宜変更可能である。
【００２２】
背面板２４の平面部２４１には貫通孔２４Ｈが形成されている。スピーカ本体３０にはナット４０が挿入（挿入の際に熱融着を行う）されるナット挿入部３１が設けられている。ナット挿入部３１は、本発明に係る「挿入口」に相当する。ナット挿入部３１は円筒形状であって、貫通孔２４Ｈは、そのナット挿入部３１の開口と重なるようになっている。貫通孔２４Ｈには、ナット挿入部３１に挿入されたナット４０と嵌合するボルト（不図示）が挿入される。このボルトは、電子機器１を壁に設置するための止め具（不図示）の部品である。ボルトをナット４０に嵌合させることで、電子機器１は止め具に固定され、壁に設置される。なお、背面板２４の平面部２４１には、スピーカ本体３０の背面側に設けられたスピーカ（不図示）の空気振動を通行させる複数の音通口２４Ｅも設けられている。
【００２３】
以下に、貫通孔２４Ｈについて説明する。図４は、貫通孔２４Ｈの大きさについて説明するための図である。なお。図４において、ナット挿入部３１部分及びボルト４１等は断面で示している。
【００２４】
ナット４０は円筒状であり、その外径をｒ１、内径をｒ２で表す。ナット４０が挿入されるナット挿入部３１の開口の径は、ナット４０の外径ｒ１と略同じである。また、背面板２４の貫通孔２４Ｈの径をｒ、ナット４０に嵌合するボルト４１のネジ部分の径をｒ３で表す。この場合、貫通孔２４Ｈにはボルト４１が貫通するためｒ＞ｒ３であり、かつ、ｒ３と螺合（嵌合）するｒ２とｒは、ｒ２＜ｒ＜ｒ１の関係が成り立つ。すなわち、貫通孔２４Ｈは、ナット４０の内径よりも大きく、ナット４０の外径よりも小さい。
【００２５】
図５は、ナット４０にボルト４１を嵌合した状態を示す図である。
【００２６】
背面板２４を開口２１Ａに装着した場合、ｒ＞ｒ３のため、貫通孔２４Ｈを介して、ナット４０にボルト４１を嵌合させることができる。ナット４０にボルト４１を嵌合させた場合、ナット４０とボルト４１（あるいは、ボルト４１に螺合した蝶ナット又は六角ナット）とで、背面板２４が挟まれた状態となる。すなわち、電子機器１は、ナット４０と止め具とで背面板２４が挟み込まれた状態で、壁に装着される。
【００２７】
貫通孔２４Ｈの径ｒは、ナット４０の内径ｒ２よりも大きく、外径ｒ１よりも小さい。このため、ナット４０は、貫通孔２４Ｈから抜け落ちることがない。したがって、電子機器１を止め具により壁に装着した場合、ナット４０がナット挿入部３１から抜け落ちて、電子機器１が壁から落下するおそれを防止できる。また、背面板２４は複数個所でスピーカ本体３０に固定され、また、突出部２４Ａにより背面板２４の抜け落ちを防止している。このため、背面板２４が外れて電子機器１が壁から落下するといったおそれを防止できる。
【００２８】
以上のように、本実施形態に係る電子機器１では、ナット挿入部３１に挿入したナット４０の抜け落ちを防止することができる。ナット４０はナット挿入部３１に挿入した後強固に固定する必要がないため、簡単な製造で、ナット４０の抜け落ち防止を実現できる。
【符号の説明】
【００２９】
１…電子機器
２０…筐体
２０Ａ…開口
２１…筐体本体
２１Ａ…開口
２２…上蓋
２３…下蓋
２４…背面板
２４Ａ…突出部
２４Ｂ…ネジ穴
２４Ｅ…排出口
２４Ｈ…貫通孔
３０…スピーカ本体
３１…ナット挿入部
３２…ネジ穴
４０…ナット
４１…ボルト
２４１…平面部
２４２…屈折部
【図１】
2017040285.tif 000003
【図２】
2017040285.tif 000004
【図３】
2017040285.tif 000005
【図４】
2017040285.tif 000006
【図５】
2017040285.tif 000007